(57)【要約】【課題】  本発明は釣糸係止装置を備えた魚釣用リールに係り、釣糸係止装置の小型化，小スペース化を図ることにより、リール全体の設計の自由度を向上し、併せてリール全体の小型，軽量化を可能とした魚釣用リールを提供することを目的とする。【解決手段】  リール側取付部材に設けた透孔内に脚部が挿入され、該脚部の端部に設けた釣糸係止部がリール側取付部材の外部に露出する糸止め部材と、リール側取付部材内に装着され、前記糸止め部材を内方へ付勢して前記釣糸係止部とリール側取付部材の外周との間に釣糸を挟持させるバネ部材とを有する釣糸係止装置を備えた魚釣用リールに於て、前記脚部に、長孔をその長手方向に形成し、リール側取付部材内に、前記長孔を挿通する支持部材を設けると共に、該支持部材と前記脚部との間に、前記バネ部材を装着したことを特徴とする。【選択図】    図２
2010273626.tif 000002
【特許請求の範囲】
【請求項１】
リール側取付部材に設けた透孔に脚部が挿入され、該脚部の端部に設けた釣糸係止部がリール側取付部材の外部に露出する糸止め部材と、
リール側取付部材内に装着され、前記糸止め部材を内方へ付勢して前記釣糸係止部とリール側取付部材の外周との間に釣糸を挟持させるバネ部材とを有する釣糸係止装置を備えた魚釣用リールに於て、
前記脚部に、長孔をその長手方向に形成し、
リール側取付部材内に、前記長孔を挿通する支持部材を設けると共に、
該支持部材と前記脚部との間に、前記バネ部材を装着したことを特徴とする魚釣用リール。
【請求項２】
前記バネ部材を、前記脚部の内側に収まるように前記長孔内に装着したことを特徴とする請求項１に記載の魚釣用リール。
【発明の詳細な説明】
【技術分野】
【０００１】
本発明は、スプールに巻回された釣糸を糸止めする釣糸係止装置を備えた魚釣用リールに関する。
【背景技術】
【０００２】
特許文献１に開示されるように、従来、魚釣用リールには、スプールに巻回された釣糸のほつれを防止するため、魚釣用スピニングリール（以下、「スピニングリール」という）のスプールや魚釣用両軸リール（以下、「両軸リール」という）の側板等に、釣糸を糸止めする釣糸係止装置が設けられている。
【０００３】
図１０及び図１１は特許文献１に開示されたスピニングリールの釣糸係止装置を示し、この釣糸係止装置１は、スプール３のスカート部５に設けた透孔７に糸止め部材９を挿着したもので、糸止め部材９は、スカート部５の外周１１との間で釣糸１３を挟持，係止する釣糸係止部１５と、該釣糸係止部１５からスカート部５の径方向内方へ延設された脚部１７とで構成されている。
【０００４】
そして、図１１に示すように脚部１７の挿入側先端１９近傍に設けられた長孔２１に、スプール３の内側部２３に突設した抜け止め突片２５が挿通して、糸止め部材９がスプール３の径方向へ移動可能に抜け止め保持されている。
【０００５】
更に、スプール３の内側部２３の前記脚部１７の先端より径方向内方の奥部に挿着したピン２７と、脚部１７の挿入側先端１９との間に、糸止め部材９をスプール３の径方向内方に付勢するバネ部材（引っ張りコイルばね）２９が張架されており、斯かるバネ部材２９のバネ力によって、釣糸係止部１５とスカート部５の外周１１との間で釣糸１３を挟持，係止するようになっている。
【先行技術文献】
【特許文献】
【０００６】
【特許文献１】実開平５−１３１６６号公報
【発明の概要】
【発明が解決しようとする課題】
【０００７】
しかし、斯様に脚部１７の挿入側先端１９からピン２７に亘ってバネ部材２９をスプール３内の径方向に装着してしまうと、径方向内方にスペースが必要となってスプール３が大型化，重量化するため小型のスプールに向かず、また、スプール３内に他の部材を配置するに当たり、バネ部材２９によるスペース的制約を受けて設計の自由度が制限され、結果的にスプール３が大型化してしまう虞があった。
【０００８】
そして、上述の如き不具合は、両軸リールの側板に釣糸係止装置を設けた場合も同様で、側板内に他の部材を配置するに当たり、バネ部材によるスペース的制約を受けて設計の自由度が制限されてしまう虞がある。
【０００９】
本発明は斯かる実情に鑑み案出されたもので、上述の如き釣糸係止装置の小型化，スプール等の小スペース化を図ることにより設計の自由度を向上し、併せてリール全体の小型，軽量化を可能とした魚釣用リールを提供することを目的とする。
【課題を解決するための手段】
【００１０】
斯かる目的を達成するため、請求項１に係る発明は、リール側取付部材に設けた透孔に脚部が挿入され、該脚部の端部に設けた釣糸係止部がリール側取付部材の外部に露出する糸止め部材と、リール側取付部材内に装着され、前記糸止め部材を内方へ付勢して前記釣糸係止部とリール側取付部材の外周との間に釣糸を挟持させるバネ部材とを有する釣糸係止装置を備えた魚釣用リールに於て、前記脚部に、長孔をその長手方向に形成し、リール側取付部材内に、前記長孔を挿通する支持部材を設けると共に、該支持部材と前記脚部との間に、前記バネ部材を装着したことを特徴とする。
【００１１】
そして、請求項２に係る発明は、請求項１に記載の魚釣用リールに於て、前記バネ部材を、前記脚部の内側に収まるように前記長孔内に装着したことを特徴とする。
【発明の効果】
【００１２】
請求項１に係る発明によれば、糸止め部材の脚部に長孔を設けて、この長孔を挿通する支持部材と脚部との間に、糸止め部材をスプールの径方向内方へ付勢するバネ部材を装着したため、従来に比し糸止め部材の径方向内方にバネ部材を配置するスペースが不要となる。
【００１３】
従って、スプールの限られたスペースでの有効活用が図れることとなって、従来に比し設計の自由度が向上すると共に、釣糸係止装置を小型化することができるためスプール、ひいてはリール全体の小型化，軽量化が図れることは勿論、小型スプールにも適用できる利点を有する。
【００１４】
そして、請求項２に係る発明によれば、バネ部材が脚部から外側にはみ出すことなく、脚部内側のエリア内に収まるように長孔内に収納されているため、スプールの小スペース，小型化が可及的に可能となる。
【図面の簡単な説明】
【００１５】
【図１】請求項１及び請求項２の第一実施形態に係る釣糸係止装置を備えたスピニングリールの側面図である。
【図２】図１のII−II線断面図である。
【図３】図２のIII−III線断面図である。
【図４】請求項１及び請求項２の第二実施形態に係る釣糸係止装置の断面図である。
【図５】図４のV−V線断面図である。
【図６】請求項１の一実施形態に係る釣糸係止装置の断面図である。
【図７】図６のVII−VII線断面図である。
【図８】請求項１及び請求項２の一実施形態に係る釣糸係止装置を備えた両軸リールの側面図である。
【図９】両軸リールの底面図である。
【図１０】釣糸係止装置を備えた従来のスプールの側面図である。
【図１１】従来の釣糸係止装置の断面図である。
【発明を実施するための形態】
【００１６】
以下、本発明の実施形態を図面に基づいて詳細に説明する。
【００１７】
図１乃至図３は請求項１及び請求項２に係る発明をスピニングリールに適用した第一実施形態を示し、図１に於て、３１はスピニングリール３３のリール本体で、リール本体３１の前側にフライヤ軸（図示せず）を介してロータ３５が回転可能に軸着され、ロータ３５にはこれと一体に一対の支持アーム３７がリール本体３１の前後方向に形成されている。
【００１８】
そして、両支持アーム３７の先端にアームレバー３９が釣糸巻取り位置と釣糸放出位置とに反転自在に取り付き、両アームレバー３９の先端に周知のベール４１が掛け渡されている。
【００１９】
更に、リール本体３１にはロータ３５と同軸上にスプール４３が装着され、スプール４３は、リール本体３１にトラバース運動可能に取り付くスプール軸（図示せず）の先端にナットを介して螺着されている。そして、リール本体３１の一側部に釣糸巻取用のハンドル４５が装着されており、ハンドル４５のハンドル軸とロータ３５は、図示しない駆動歯車やピニオンからなる周知のギヤ機構を介して連繋され、また、スプール軸は、その後端部に固着した摺動子やトラバースカム軸からなる図示しないトラバース機構により、ロータ３５の回転に連動してリール本体３１の前後方向へ往復動するようになっている。
【００２０】
そして、一対の前記アームレバー３９の先端側にラインローラ（図示せず）が回転可能に支持されており、ベール４１を釣糸放出位置へ倒して仕掛けを投擲すると、スプール４３に巻回された釣糸がスパイラル状に繰り出され、ベール４１を釣糸巻取り位置へ反転してハンドル４５を巻取り操作すると、ベール４１からラインローラに案内された釣糸がスプール４３に案内されるようになっている。
【００２１】
而して、本実施形態に係るスピニングリール３３も、上述した構成に加え、スプール４３に巻回された釣糸のほつれを防止する釣糸係止装置４７が、スプール（リール側取付部材）４３に設けられている。
【００２２】
図２及び図３は釣糸係止装置４７の詳細を示し、図中、４９は図１に示すようにスプール４３のスカート部５１に形成された平面視Ｕ字状の凹部、５３は該凹部４９の底部に形成された平面視矩形状の透孔で、該透孔５３に樹脂で形成されたプレート状の受け座５５が装着されている。また、該受け座５５には前記透孔５３よりも小さな平面視矩形状の透孔５７が設けられており、該透孔５７に、樹脂で形成された糸止め部材５９が挿着されている。
【００２３】
図２，図３に示すように糸止め部材５９は、前記透孔５７に挿入された平板状の脚部６１と、該脚部６１の上端に一体形成された釣糸係止部６３とで断面略Ｔ字状に形成されている。釣糸係止部６３は、前記凹部４９の外形形状に沿ってスプール４３の後方へ平面視略Ｕ字状に形成されて、受け座５５の表面６５上に露出した構造となっており、釣糸係止部６３の釣糸案内側（スプール４３の後方側）に、凹部４９による空間が設けられている。
【００２４】
一方、図２に示すように透孔５７に挿入された脚部６１は、スプール４３の内側部６９に面接触して回転が規制され、その略中央から挿入側先端６６に亘って長手方向に長孔６７が設けられている。そして、該長孔６７に対応してスプール４３の内側部６９に設けた取付孔７１に、長孔６７を挿通する１本のピン（支持部材）７３が圧入されており、ピン７３の頭部７５が長孔６７周縁の脚部６１の外周に当接して、脚部６１を保持している。
【００２５】
更に、図３に示すように、前記長孔６７の釣糸係止部６３側の上部にバネ取付片７７が横方向に一体的に架設されている。そして、長孔６７内には、バネ取付片７７と前記ピン７３の軸部７９との間に、糸止め部材５９をスプール４３の径方向内方へ付勢する引っ張りコイルばね（バネ部材）８３が張架されており、該引っ張りコイルばね８３のバネ力によって、前記釣糸係止部６３の裏面８１側と受け座５５の表面６５との間に釣糸を挟持，係止させることができるようになっている。そして、引っ張りコイルばね８３の両端には、前記バネ取付片７７と前記軸部７９とに掛止する掛止部８５，８７が設けられており、引っ張りコイルばね８３は、図３（図２のIII−III線断面図）の方向から見て、脚部６１から外側にはみ出すことなく図３の脚部６１の脚幅Ｗと脚長Ｈ内で区画された脚部内側のエリア内に収まるように収納されている。
【００２６】
また、図２（図１のII−II線断面図）の方向から見て、引っ張りコイルばね８３は、脚部６１の肉厚方向（スプール軸の軸長方向）についてははみ出してもよく、その場合は、引っ張りコイルばね８３のコイル部の中央軸は脚部６１の肉厚内とした方が、引っ張りコイルばね８３の付勢力による糸止め部材５９の動きが滑らかになるので好ましい。勿論、引っ張りコイルばね８３の掛止部８５，８７は長孔６７から一部がはみ出してもよい。
【００２７】
その他、図２中、８９はスプール４３内の中央に設けたクリック機構で、該クリック機構８９は、スプール軸に取り付くリーフスプリング９１と、スプール軸を中心としてスプール４３の内側部６９に形成された筒状部９３と、該筒状部９３の内周に形成されて前記リーフスプリング９１が掛止する複数の突部９５とからなり、前記筒状部９３の外周と前記糸止め部材５９の挿入側先端６６との間には間隙９７が設けられている。
【００２８】
本実施形態に係る釣糸係止装置４７はこのように構成されており、釣糸係止装置４７の非使用時は、図２に示すように引っ張りコイルばね８３のバネ力で糸止め部材５９がスプール４３の径方向内方へ付勢されて、釣糸係止部６３の裏面８１が受け座５５の表面６５に圧接している。
【００２９】
而して、斯かる状態で、例えば釣糸係止部６３の釣糸案内側（スプール４３の後方側）から、スプール４３の釣糸巻回胴部９９に巻回された釣糸の巻き終わり端部を釣糸係止部６３と受け座５５との間に圧入し乍ら、釣糸係止部６３を上方に引っ張ると、引っ張りコイルばね８３のバネ力に抗して釣糸係止部６３（糸止め部材５９）が上方へ移動する。
【００３０】
この後、釣糸の巻き終わり端部を釣糸係止部６３の裏面８１と受け座５５の表面６５との間に配して釣糸から手を離せば、引っ張りコイルばね８３の復元力で釣糸係止部６３（糸止め部材５９）が図２の状態に戻って、釣糸が釣糸係止部６３の裏面８１と受け座５５の表面６５との間に挟持，係止されて、スプール４３に巻回された釣糸のほつれが防止されることとなる。
【００３１】
このように本実施形態の釣糸係止装置４７によれば、従来と同様、スプール４３に巻回された釣糸のほつれを防止することができる。
【００３２】
而も、本実施形態に係る釣糸係止装置４７は、図１１に示す釣糸係止装置１の如く糸止め部材９の挿入側先端１９からピン２７に亘る径方向にバネ部材２９を装着した従来構造に代え、糸止め部材５９の脚部６１に長孔６７を設けて、この長孔６７を挿通するピン７３と脚部６１との間に、糸止め部材５９をスプール４３の径方向内方へ付勢する引っ張りコイルばね８３を装着したため、従来に比し糸止め部材５９の径方向内方にバネ部材を配置するスペースが不要となる。
【００３３】
このため、既述したように本実施形態では、従来、装着することのできなかったクリック機構８９を、スプール４３の径方向内方に設けることが可能となっている。特に、スプール径に対し大口径のクリック機構を設けることが可能となり、魚の力により引き出される釣糸のスピードの状態をより細かくクリック音として釣人に提供することができる。
【００３４】
従って、本実施形態によれば、スプール４３の限られたスペースでの有効活用が図れることとなって、従来に比し設計の自由度が向上すると共に、釣糸係止装置４７を小型化することができるためスプール、ひいてはリール全体の小型化，軽量化が図れることは勿論、小型スプールにも適用できる利点を有する。
【００３５】
而も、引っ張りコイルばね８３は、脚部６１から外側にはみ出すことなく脚部６１の内側エリア内に収まるように長孔６７内に収納されているため、スプール４３の小スペース，小型化が可及的に可能となる。
【００３６】
図４及び図５は請求項１及び請求項２の第二実施形態に係る釣糸係止装置を示し、以下、本実施形態を図面に基づいて説明するが、前記実施形態と同一のものは同一符号を以って表示する。
【００３７】
図中、１０１は受け座５５の透孔５７に挿入された糸止め部材１０３の脚部で、糸止め部材１０３は前記糸止め部材５９と外形形状を同じくし、平板状に形成された脚部１０１と、脚部１０１の上端に一体形成された釣糸係止部１０５とで断面略Ｔ字状に形成されており、釣糸係止部１０５は、凹部４９の外形形状に沿ってスプール４３の後方へ平面視略Ｕ字状に形成されて、前記受け座５５の表面６５上に露出した構造となっている。そして、釣糸係止部１０５の釣糸案内側（スプール４３の後方側）に、凹部４９による空間が形成されている。
【００３８】
一方、図４，図５に示すように透孔５７に挿入された脚部１０１は、スプール４３の内側部６９に面接触して回転が規制され、その略中央から挿入側先端１０７に亘って長手方向に長孔１０９が形成されている。そして、長孔１０９内の中央よりやや下方に、バネ取付片１１１が横方向に一体的に架設されている。
【００３９】
また、前記バネ取付片１１１の下方の長孔１０９に対応してスプール４３の内側部６９に設けたネジ孔１１３に、長孔１０９を挿通する１本のネジ１１５が螺着されており、ネジ１１５のネジ頭１１７が長孔１０９周縁の脚部１０１の外周に当接して、脚部１０１を保持している。
【００４０】
更に、前記バネ取付片１１１の上方の長孔１０９に対応してスプール４３の内側部６９に、該長孔１０９を挿通するバネ取付片（支持部材）１１９が一体に突設されており、図４に示すように該バネ取付片１１９は、後述する圧縮コイルばね（バネ部材）１２１の上端を収納する凹部１２３が内方に形成された断面Ｌ字状に形成されている。
【００４１】
そして、図示するように前記凹部１２３と前記バネ取付片１１９との間の長孔１０９内に、糸止め部材１０３をスプール４３の径方向内方へ付勢する圧縮コイルばね１２１が張架されており、該圧縮コイルばね１２１のバネ力によって、釣糸係止部１０５の裏面１２５側と受け座５５の表面６５との間に釣糸を挟持，係止させることができるようになっている。そして、圧縮コイルばね１２１は、図５（図４のV−V線断面図）の方向から見て、脚部１０１から外側にはみ出すことなく脚部１０１の内側エリア内に収まるように長孔１０９内に収納されている。
【００４２】
本実施形態の場合に於ても、前記実施形態と同様、図４の方向から見て、圧縮コイルばね１２１は脚部１０１の肉厚方向（スプール軸の軸方向）についてははみ出してもよく、その場合は、圧縮コイルばね１２１のコイル部の中心軸は脚部１０１の肉厚方向とした方が、圧縮コイルばね１２１の付勢力による糸止め部材１０３の動きが滑らかになるので好ましい。また、圧縮コイルばね１２１に掛止部を設けてもよく、その場合、掛止部は長孔１０９から一部がはみ出してもよい。
【００４３】
尚、前記バネ取付片１１９はスプール４３の内側部６９と別体に形成してもよく、その形状も、圧縮コイルばね１２１を係止できれば、その他の形状でもよい。
【００４４】
本実施形態に係る釣糸係止装置１２７はこのように構成されているから、釣糸係止装置１２７の非使用時は、図４に示すように圧縮コイルばね１２１のバネ力で糸止め部材１０３がスプール４３の径方向内方へ付勢されて、釣糸係止部１０５の裏面１２５が受け座５５の表面６５に圧接している。
【００４５】
而して、斯かる状態で、例えば釣糸係止部１０５の釣糸案内側（スプール４３の後方側）から、スプール４３の釣糸巻回胴部９９に巻回された釣糸の巻き終わり端部を釣糸係止部１０５と受け座５５との間に圧入し乍ら、釣糸係止部１０５を上方に引っ張ると、圧縮コイルばね１２１のバネ力に抗して釣糸係止部１０５（糸止め部材１０３）が上方へ移動する。
【００４６】
この後、釣糸の巻き終わり端部を釣糸係止部１０５の裏面１２５と受け座５５の表面６５との間に配して釣糸から手を離せば、圧縮コイルばね１２１の復元力で釣糸係止部１０５（糸止め部材１０３）が図４の状態に戻って、巻き終わり端部が釣糸係止部１０５の裏面１２５と受け座５５の表面６５との間に挟持，係止されて、スプール４３に巻回された釣糸のほつれが防止されることとなる。
【００４７】
このように本実施形態の釣糸係止装置１２７によっても、スプール４３に巻回された釣糸のほつれを防止することができる。
【００４８】
そして、本実施形態に係る釣糸係止装置１２７も、図１１の従来構造に代え、糸止め部材１０１の脚部１０３に長孔１０９を設けて、この長孔１０９を挿通するバネ取付片１１９と脚部１０１側のバネ取付片１１１との間に、糸止め部材１０１をスプール４３の径方向内方へ付勢する圧縮コイルばね１２１を装着したため、従来に比し糸止め部材１０１の径方向内方にバネ部材を配置するスペースが不要となる。
【００４９】
従って、本実施形態にあっても、スプール４３の限られたスペースでの有効活用が図れることとなって、従来に比し設計の自由度が向上すると共に、釣糸係止装置１２７を小型化することができるためスプール４３、ひいてはリール全体の小型化，軽量化が図れることは勿論、小型スプールにも適用できる利点を有する。
【００５０】
而も、圧縮コイルばね１２１、脚部１０１から外側にはみ出すことなく長孔１０９内に収納されているため、スプール４３の小スペース，小型化が可及的に可能となる。
【００５１】
図６及び図７は請求項１の一実施形態に係る釣糸係止装置を示し、図中、１２９は受け座５５の透孔５７に挿入された糸止め部材１３１の脚部で、本実施形態の糸止め部材１３１も前記糸止め部材５９と外形形状を同じくし、平板状に形成された脚部１２９と、脚部１２９の上端に一体形成された釣糸係止部１３３とで断面略Ｔ字状に形成されており、釣糸係止部１３３は、凹部４９の外形形状に沿ってスプール４３の後方へ平面視略Ｕ字状に形成されて、前記受け座５５の表面６５上に露出した構造となっている。そして、釣糸係止部１３３の釣糸案内側（スプール４３の後方側）に、凹部４９による空間が形成されている。
【００５２】
一方、図６及び図７に示すように透孔５７に挿入された脚部１２９は、スプール４３の内側部６９に面接触して回転が規制され、その略中央から挿入側先端１３５に亘って長手方向に長孔１３７が形成されている。
【００５３】
また、前記長孔１３７に対応してスプール４３の内側部６９に設けた取付孔１３９に、長孔１３７を挿通する１本のピン（支持部材）１４１が圧入されており、ピン１４１の頭部１４３が長孔１３７周縁の脚部１２９の外周に当接して、脚部１２９を保持している。
【００５４】
そして、図示するように前記頭部１４３の外周に設けた取付用凹部１４５と、長孔１３７の上方の脚部１２９の中央に設けた取付孔１４７との間に、糸止め部材１３１をスプール４３の径方向内方へ付勢するねじりコイルばね（バネ部材）１４９が張架されており、スプール４３の内側部６９には、ねじりコイルばね１４９のコイル巻回部１５１を保持するピン１５３が糸止め部材１３１の近傍に挿着されている。
【００５５】
尚、その他の構成は図１の実施形態と同様であるので、同一のものには同一符号を付してそれらの説明は省略する。
【００５６】
本実施形態に係る釣糸係止装置１５５はこのように構成されているから、釣糸係止部１３３の釣糸案内側（スプール４３の後方側）から、スプール４３の釣糸巻回胴部９９に巻回された釣糸の巻き終わり端部を釣糸係止部１３３と受け座５５との間に圧入し乍ら、釣糸係止部１３３を上方に引っ張ると、ねじりコイルばね１４９のバネ力に抗して釣糸係止部１３３（糸止め部材１３１）が上方へ移動する。
【００５７】
この後、釣糸の巻き終わり端部を釣糸係止部１３３の裏面１５７と受け座５５の表面６５との間に配して釣糸から手を離せば、ねじりコイルばね１４９の復元力で釣糸係止部１３３（糸止め部材１３１）が図６の状態に戻って、巻き終わり端部が釣糸係止部１３３の裏面１５７と受け座５５の表面６５との間に挟持，係止されて、スプール４３に巻回された釣糸のほつれが防止されることとなる。
【００５８】
このように本実施形態に係る釣糸係止装置１５５によっても、スプール４３に巻回された釣糸のほつれを防止することができる。
【００５９】
そして、本実施形態に係る釣糸係止装置１５５も、図１１の従来構造に代え、糸止め部材１３１の脚部１２９に長孔１３７を設けて、この長孔１３７を挿通するピン１４１と脚部１２９との間に、糸止め部材１３１をスプール４３の径方向内方へ付勢するねじりコイルばね１４９を装着したため、従来に比し糸止め部材１３１の径方向内方にバネ部材を配置するスペースが不要となる。
【００６０】
従って、本実施形態によっても、前記各実施形態と同様、所期の目的を達成することが可能で、従来に比し設計の自由度が向上すると共に、釣糸係止装置１５５を小型化することができるためスプール４３、ひいてはリール全体の小型化，軽量化が図れることは勿論、小型スプールにも適用できる利点を有する。
【００６１】
尚、既述した各実施形態は、釣糸係止装置４７，１２７，１５５をスピニングリールに適用したが、既述したように、従来、両軸リールの側板等に釣糸係止装置が設けられている。
【００６２】
従って、図８及び図９に示すように両軸リール１５９にも前記釣糸係止装置４７，１２７，１５５を装着することが可能で、例えば釣糸係止装置４７を両軸リール１５９に装着する場合、糸止め部材５９の脚部を挿入する透孔を側板（リール側取付部材）１６１に設けると共に、前記ピン（支持部材）７３が圧入する取付孔７１を、側板１６１が取り付く該側板１６１内のリール本体（フレーム）１６３に設ければよい。
【００６３】
而して、これの実施形態によっても、既述した各実施形態と同様、所期の目的を達成することが可能である。
【符号の説明】
【００６４】
３１  リール本体
３３  スピニングリール
３５  ロータ
４３  スプール
４５  ハンドル
４７，１２７，１５５  釣糸係止装置
４９  凹部
５１  スカート部
５３，５７  透孔
５５  受け座
５９，１０３，１３１  糸止め部材
６１，１０１，１２９  脚部
６３，１０５，１３３  釣糸係止部
６５  受け座の表面
６６，１０７，１３５  脚部の挿入側先端
６７，１０９，１３７  長孔
７３，１４１，１５３  ピン
７７，１１１，１１９  バネ取付片
７９  ピンの軸部
８１，１２５，１５７  釣糸係止部の裏面
８３  引っ張りコイルばね（バネ部材）
８５，８７  掛止部
８９  クリック機構
９９  釣糸巻回胴部
１１３  ネジ孔
１１５  ネジ
１１７  ネジのネジ頭
１２１  圧縮コイルばね（バネ部材）
１２３  凹部
１４５  取付用凹部
１４９  ねじりコイルばね
１５９  両軸リール
１６１  側板
１６３  リール本体
【図１】
2010273626.tif 000003
【図２】
2010273626.tif 000004
【図３】
2010273626.tif 000005
【図４】
2010273626.tif 000006
【図５】
2010273626.tif 000007
【図６】
2010273626.tif 000008
【図７】
2010273626.tif 000009
【図８】
2010273626.tif 000010
【図９】
2010273626.tif 000011
【図１０】
2010273626.tif 000012
【図１１】
2010273626.tif 000013